(57)【要約】      （修正有）【課題】本発明は、光学結像分野に関し、レンズモジュールを提供する。【解決手段】レンズモジュール１００は、鏡筒１およびレンズ群を含み、前記鏡筒は、水平方向に延在する第１筒壁１１と、前記第１筒壁から折り曲げて延在する第２筒壁１２とを含み、前記レンズ群は、少なくとも、像側から物体側へ順に前記鏡筒内に収容される第１レンズ２１および第２レンズ２２を含み、前記第２レンズ２２は、中央位置にある光学部２２１と、前記光学部を囲む周辺部２２２とを含み、前記レンズモジュールは、前記鏡筒内に設けられ、かつ、前記第１レンズと前記第２レンズ２２との間に介設される遮光シート２３をさらに含み、前記遮光シートは、前記周辺部に嵌入固定されている。本発明に提供されるレンズモジュールは、レンズモジュール内の迷光を効果的に低減して、結像品質を向上させることができる。【選択図】図１
2020021062.tif 000002
【特許請求の範囲】
【請求項１】
鏡筒とレンズ群とを含むレンズモジュールにおいて、前記鏡筒は、水平方向に延在する第１筒壁と、前記第１筒壁から折り曲げて延在する第２筒壁とを含み、前記レンズ群は、少なくとも、像側から物体側へ順に前記鏡筒内に収容される第１レンズおよび第２レンズを含み、前記第２レンズは、中央位置にある光学部と、前記光学部を囲む周辺部とを含むレンズモジュールであって、
前記レンズモジュールは、前記鏡筒内に設けられ、かつ、前記第１レンズと前記第２レンズとの間に介設される遮光シートをさらに含み、
前記遮光シートは、前記周辺部に嵌入固定されている、ことを特徴とするレンズモジュール。
【請求項２】
前記周辺部は、物体側を向く物体側面と、像側を向く像側面と、前記物体側面と前記像側面とを接続する側表面とを含み、
前記遮光シートは、前記物体側面内に嵌設されている、ことを特徴とする請求項１に記載のレンズモジュール。
【請求項３】
前記物体側面は、前記第１レンズと互いに間隔をあけている第１表面と、前記第１レンズと互いに当接する第２表面とを含み、
前記周辺部には、前記第１表面から前記像側面に向かって凹んでなる収容部が設けられており、
前記遮光シートは、前記収容部内に嵌設されている、ことを特徴とする請求項２に記載のレンズモジュール。
【請求項４】
前記第２表面は、前記第１表面の光軸から離間する縁より像側に近づき且つ前記光軸から離間する方向に向かって延在する第１当接面と、前記第１当接面の前記第１表面から離間する縁より前記第２筒壁に近づく方向に向かって延在する第２当接面とを含む、ことを特徴とする請求項３に記載のレンズモジュール。
【請求項５】
前記遮光シートは、中空リング状であり、
前記遮光シートの外周縁は、前記収容部内に嵌入されている、ことを特徴とする請求項３に記載のレンズモジュール。
【請求項６】
前記遮光シートは、接着剤で前記収容部内に固定されている、ことを特徴とする請求項３に記載のレンズモジュール。
【請求項７】
前記第１レンズは、ガラスレンズである、ことを特徴とする請求項１〜６のいずれか１項に記載のレンズモジュール。
【請求項８】
前記第２レンズは、プラスチックレンズである、ことを特徴とする請求項７に記載のレンズモジュール。
【請求項９】
前記周辺部は、物体側を向く物体側面と、像側を向く像側面と、前記物体側面と前記像側面とを接続する側表面とを含み、
前記遮光シートは、前記像側面内に嵌設されている、ことを特徴とする請求項１に記載のレンズモジュール。
【発明の詳細な説明】
【技術分野】
【０００１】
本発明は、光学結像分野に関し、特にレンズモジュールに関する。
【背景技術】
【０００２】
近年、携帯型電子機器、例えば、スマート電子機器、タブレットコンピュータなどが急速に発展し、現代の人々の生活の中で満たされており、これに伴い、携帯型電子機器に搭載されるレンズモジュールも盛んに進化している。しかしながら、科学技術の進歩につれて、ユーザはレンズモジュールの結像品質に対する要求もますます高まっている。
【発明の概要】
【発明が解決しようとする課題】
【０００３】
本発明の発明者は、従来技術において少なくとも以下の問題が存在すると見出した。即ち、遮光シートが一般的に２つのレンズの間に挟持固定されるが、このような設計では、２つの嵌合するレンズ間の遮光シートの組立に一般に偏りが発生してしまい、レンズモジュールに入射する迷光を効果的に遮断することができないため、迷光が反射または屈折された後、最終的に結像面上に入射し、レンズモジュールの結像品質の低下を招く。
【０００４】
本発明は、レンズモジュール内の迷光を効果的に低減して、結像品質を向上させることができるレンズモジュールを提供することを目的とする。
【課題を解決するための手段】
【０００５】
上述した技術問題を解決するために、本発明の実施形態は、レンズモジュールを提供し、当該レンズモジュールは、鏡筒とレンズ群とを含み、前記鏡筒は、水平方向に延在する第１筒壁と、前記第１筒壁から折り曲げて延在する第２筒壁とを含み、前記レンズ群は、少なくとも、像側から物体側へ順に前記鏡筒内に収容される第１レンズおよび第２レンズを含み、前記第２レンズは、中央位置にある光学部と、前記光学部を囲む周辺部とを含み、前記レンズモジュールは、前記鏡筒内に設けられ、かつ、前記第１レンズと前記第２レンズとの間に介設される遮光シートをさらに含み、前記遮光シートは、前記周辺部に嵌入固定されている。
【０００６】
本発明の実施形態は、従来技術に対して、レンズモジュールにおける遮光シートが隣り合う２つのレンズ間の相互の挟持によって固定されるのではなく、遮光シートを第２レンズの周辺部に嵌入固定するため、第１レンズと第２レンズとの間の遮光シートが不安定な固定によって組立に偏りが発生することを回避でき、レンズモジュールの安定性を向上しつつ、迷光による結像に対する影響を低減し、レンズモジュールの結像品質を向上させることができる。
【０００７】
また、前記周辺部は、物体側を向く物体側面と、像側を向く像側面と、前記物体側面と前記像側面とを接続する側表面とを含み、前記遮光シートは、前記物体側面内に嵌設されている。
【０００８】
また、前記物体側面は、前記第１レンズと互いに間隔をあけている第１表面と、前記第１レンズと互いに当接する第２表面とを含み、前記周辺部には、前記第１表面から前記像側面に向かって凹んでなる収容部が設けられており、前記遮光シートは、前記収容部内に嵌設されている。このような構造によれば、収容部内に嵌入固定される遮光シートが第１レンズに直接接触することがないため、第１レンズの作用力を受けることによって位置ずれが発生することが回避され、遮光件の組立に偏りが発生することをさらに回避できる。
【０００９】
また、前記第２表面は、前記第１表面の光軸から離間する縁より像側に近づき且つ前記光軸から離間する方向に向かって延在する第１当接面と、前記第１当接面の前記第１表面から離間する縁より前記第２筒壁に近づく方向に向かって延在する第２当接面とを含む。このように設けることによって、第２表面と第１レンズとの接触面積が大きくなり、第２レンズに第１レンズをより安定的に支持することができ、レンズモジュールの安定性を向上させる。
【００１０】
また、前記遮光シートは、中空リング状であり、前記遮光シートの外周縁は、前記収容部内に嵌入されている。
【００１１】
また、前記遮光シートは、接着剤で前記収容部内に固定されている。
【００１２】
また、前記第１レンズは、ガラスレンズである。
【００１３】
また、前記第２レンズは、プラスチックレンズである。
【００１４】
また、前記周辺部は、物体側を向く物体側面と、像側を向く像側面と、前記物体側面と前記像側面とを接続する側表面とを含み、前記遮光シートは、前記像側面内に嵌設されている。
【図面の簡単な説明】
【００１５】
【図１】本発明の実施形態に係るレンズモジュールの断面図である。
【図２】図１におけるＡ箇所を示す部分拡大図である。
【発明を実施するための形態】
【００１６】
以下、本発明の目の、技術案及び利点をより明瞭にするために、図面を参照しながら、本発明の各実施形態をより詳しく説明する。ただし、本発明の各実施形態において、読者が本発明をよりよく理解するために多くの技術の詳細が提出されるが、これらの技術の詳細と下記各実施形態に基づく種々の変更及び修正がなくても、本発明の特許請求の範囲において請求される技術案を実現し得ることは、当業者に理解されるべきである。
【００１７】
本発明的第１実施形態は、図１や図２に示すように、レンズモジュール１００に関する。
【００１８】
レンズモジュール１００は、鏡筒１とレンズ群２とを含み、鏡筒１は、水平方向に延在する第１筒壁１１と、第１筒壁１１から折り曲げて延在する第２筒壁１２とを含み、レンズ群２は、少なくとも、像側から物体側へ順に鏡筒１内に収容される第１レンズ２１および第２レンズ２２を含み、第２レンズ２２は、中央位置にある光学部２２１と、光学部２２１を囲む周辺部２２２とを含み、レンズモジュール１００は、鏡筒１内に設けられ、かつ、第１レンズ２１と第２レンズ２２との間に介設される遮光シート２３をさらに含み、遮光シート２３は、周辺部２２２に嵌入固定されている。
【００１９】
本発明の実施形態は、従来技術に対して、レンズモジュール１００における遮光シート２３は、隣り合う２つのレンズ間の相互の挟持によって固定されるのではなく、第２レンズ２２の周辺部２２２に嵌入固定されているので、第１レンズ２１と第２レンズ２２との間の遮光シート２３が不安定な固定によって組立に偏りが発生することを回避でき、レンズモジュール１００の安定性を向上しつつ、迷光による結像に対する影響を低減し、レンズモジュール１００の結像品質を向上させることができる。
【００２０】
具体的には、周辺部２２２は、物体側を向く物体側面２２２１と、像側を向く像側面２２２２と、物体側面２２２１と像側面２２２２とを接続する側表面２２２３とを含み、遮光シート２３は、物体側面２２２１内に嵌設されている。
【００２１】
なお、本実施形態では、物体側面２２２１は、第１レンズ２１と互いに間隔をあけている第１表面２２２１Ａと、第１レンズ２１と互いに当接する第２表面２２２１Ｂとを含み、周辺部２２２には、第１表面２２２１Ａから像側面２２２２に向かって凹んでなる収容部２２２４が設けられており、遮光シート２３は、収容部２２２４内に嵌設されている。このような構造によれば、収容部２２２４内に嵌入固定される遮光シート２３が第１レンズ２１に直接接触することがないため、第１レンズ２１の作用力を受けることによって位置ずれが発生することが回避され、遮光件２３の組立に偏りが発生することをさらに回避できる。
【００２２】
好ましくは、第２表面２２２１Ｂは、第１表面２２２１Ａの光軸ＯＯ｀から離間する縁より像側に近づき且つ光軸ＯＯ｀から離間する方向に向かって延在する第１当接面２２２１Ｃと、第１当接面２２２１Ｃの第１表面２２２１Ａから離間する縁より第２筒壁１２に近づく方向に向かって延在する第２当接面２２２１Ｄとを含む。このように設けることによって、第２表面２２２１Ｂと第１レンズ２１との接触面積が大きくなり、第２レンズ２２に第１レンズ２１をより安定的に支持することができ、レンズモジュール１００の安定性を向上させる。
【００２３】
なお、本実施形態では、遮光シート２３は、中空リング状であり、遮光シート２３の外周縁は、収容部２２２４内に嵌入されている。
【００２４】
遮光シート２３と第２レンズ２２との間の安定性をさらに向上するために、遮光シート２３が接着剤で収容部２２２４内に固定されることは、理解され得る。
【００２５】
具体的には、第１レンズ２１は、ガラスレンズであり、第２レンズ２２は、プラスチックレンズである。ガラスレンズは、光学的性質に優れ、傷がつきにくく、良好な光透過性および一定の屈折率を有し、プラスチックレンズは、軽量であり、破損しにくい。
【００２６】
本発明の他の可能な実施形態では、周辺部２２２は、物体側を向く物体側面２２２１と、像側を向く像側面２２２２と、物体側面２２２１と像側面２２２２とを接続する側表面２２２３とを含み、遮光シート２３は、像側面２２２２に嵌設されている。
【００２７】
上述した各実施形態は、本発明を実現するための具体的な実施例であり、当業者にとって、実際の応用では、本発明の趣旨を逸脱しない範囲で形式や詳細を各種の改良を行うことが可能であると理解されるべきである。
【図１】
2020021062.tif 000003
【図２】
2020021062.tif 000004